(57)【要約】【課題】表面がわ両側部に立体ギャザーを備えた吸収性物品において、吸収性物品の後部側において吸収体を広く有効吸収面として活用できるようにするとともに、その製造が容易である立体ギャザー構造を提案する。【解決手段】透液性表面シート３と不透液性裏面シート２との間に吸収体４が介在されるとともに、後端部側の吸収体幅が股間部の吸収体幅よりも幅広になるように拡大され、かつ表面がわ両側部に立体ギャザーＢＳを備えた生理用ナプキン１Ａにおいて、前記立体ギャザーＢＳは、体液排出部Ｈ近傍よりも後部側位置において１又は複数回の折返し部を有し、生理用ナプキン１Ａの後端側において体液排出部Ｈよりも立体ギャザーＢＳ、ＢＳ間の幅Ｂ２が拡大されている。【選択図】図１
2008161255.tif 000002
【特許請求の範囲】
【請求項１】
透液性表面シートと裏面シートとの間に吸収体が介在されるとともに、表面がわ両側部に立体ギャザーを備えた吸収性物品において、
前記立体ギャザーは、体液排出部近傍よりも後部側位置において１又は複数回の折返し部を有し、吸収性物品の後端側において前記体液排出部よりも立体ギャザー間の幅が拡大されていることを特徴とする吸収性物品。
【請求項２】
前記立体ギャザーは、偶数回の折返し部を有し、吸収性物品の前側端における平面視での傾斜角と、吸収性物品の後側端における平面視での傾斜角とが同一に設定されている請求項１記載の吸収性物品。
【請求項３】
後端部側の吸収体幅が股間部の吸収体幅よりも幅広になるように拡大されている請求項１，２いずれかに記載の吸収性物品。
【請求項４】
後端部側の吸収体幅が股間部の吸収体幅よりも幅広になるように拡大されているとともに、該後端部側の吸収体が股間部の吸収体と等幅の中央部吸収体と、その両側部に位置する側部吸収体とに分割されている請求項１，２いずれかに記載の吸収性物品。
【発明の詳細な説明】
【技術分野】
【０００１】
本発明は、経血やおりものなどを吸収するための生理用ナプキン、パンティライナー、失禁パッド等の吸収性物品に関する。
【背景技術】
【０００２】
従来より、生理用ナプキン、パンティライナー、おりものシート、失禁パッドなどの吸収性物品として、ポリエチレンシートまたはポリエチレンラミネート不織布などからなる不透液性裏面シートと、不織布または透孔性プラスチックシートなどからなる透液性表面シートとの間に綿状パルプなどからなる吸収体を介在させたものが知られている。
【０００３】
経血等の体液は、吸収体の体液排出口当接部で吸収されるのが一般的であるが、一度に多量の排出があった場合はナプキンの表面を流れて拡散したり、肌とに隙間が出来た場合は体液が体を伝わってナプキンの前後方向および左右方向に拡散したりする。特に、就寝時にはこれらの傾向が強く、ナプキン後方へ体液の拡散が拡大する。そのため、夜用生理用ナプキンなどでは、後端部側の吸収体幅を股間部の吸収体幅よりも幅広に形成したものが知られている（例えば、下記特許文献１、２等参照）。
【０００４】
一方、横漏れを防止する手段として表面がわ両側部に立体ギャザーを設けることが多く行われている。かかる立体ギャザーは、通常、製品長手方向に沿って直線的に設けられるが、前述の少なくとも後端部側の吸収体幅を股間部の吸収体幅よりも幅広に形成した吸収性物品に対して適用した場合には、前記後端側部分において該立体ギャザーよりも外側の吸収体部分は実質的に機能しなくなる問題が発生する。
【０００５】
この問題を解決するために、下記特許文献３では、図７に示されるように、股間部では立体ギャザー６０の間隔を狭く、かつ前端部および後端部では立体ギャザー６０の間隔を漸次拡大させるように拡げて配置した紙おむつが提案されている。
【０００６】
また、下記特許文献４では、図８に示されるように、透液性表面シートと不透液性裏面シートとの間に吸収体が介在されるとともに、少なくとも背側後端部の吸収体幅が股間部の吸収体幅よりも幅広になるように曲線状に形成され、かつ表面がわ両側部に立体ギャザー７２を備えた吸収性物品において、立体ギャザー７２は、体液排出部を含む股間部領域において、前記吸収体４の側縁近傍位置にギャザー起立点７２ｂを有するとともに、展開状態でほぼ吸収体７１の側縁に沿って立体ギャザー７２の長手方向始端部７３と長手方向終端部７４とを結ぶ仮想線を基準として内側に膨出する形状で形成され、前記立体ギャザー７２はその形成範囲内において、立体ギャザー７２を形成しているシート材がギャザー長手方向に沿って外側に折り返されたギャザー起立点７２ｂを有するとともに、該ギャザー起立点７２ｂの外側に位置する自由端７２ａを有する構造のものが提案されている。
【特許文献１】特開２０００−１８９４５９号公報
【特許文献２】特開２００３−６２００８号公報
【特許文献３】特許第２９０８８７７号公報
【特許文献４】特開２００２−１６５８３６号公報
【発明の開示】
【発明が解決しようとする課題】
【０００７】
しかしながら、上記特許文献３に記載されるおむつでは、前記立体ギャザー６０は、仮想線６１、６１に沿ってかつ表面シート面に対してほぼ垂直に起立するようになるというものであるが、前端部と後端部ではギャザーの起立部分が内側に傾倒しながら起立しており、装着前の状態ではほぼ垂直に起立していた立体ギャザーが、場合によっては肌との当接により内側に伏せられた状態となり、吸収体の全幅を有効に活用できないことがあった。
【０００８】
また、上記特許文献４に記載される吸収性物品の場合は、製造ライン上で立体ギャザーを平面視で円弧状に曲線配置するには、複雑な製造技術が必要になるため、製造が困難で実施に多くの設備投資が必要になるなどの問題があった。
【０００９】
そこで本発明の主たる課題は、好適には、後端部側の吸収体幅が股間部の吸収体幅よりも幅広になるように形成され、かつ表面がわ両側部に立体ギャザーを備えた吸収性物品において、後部側において吸収体を広く有効吸収面として活用できるようにするとともに、その製造が容易である立体ギャザー構造を提案することにある。
【課題を解決するための手段】
【００１０】
前記課題を解決するために請求項１に係る本発明として、透液性表面シートと裏面シートとの間に吸収体が介在されるとともに、表面がわ両側部に立体ギャザーを備えた吸収性物品において、
前記立体ギャザーは、体液排出部近傍よりも後部側位置において１又は複数回の折返し部を有し、吸収性物品の後端側において前記体液排出部よりも立体ギャザー間の幅が拡大されていることを特徴とする吸収性物品が提供される。
【００１１】
上記請求項１記載の発明は、立体ギャザーが体液排出部よりも後部側位置において１又は複数回の折返し部を有し、体液排出部よりも立体ギャザー間の幅が拡大されているものである。従って、吸収性物品の後部側において吸収体を広く有効吸収面として活用できるようになる。また、立体ギャザーは曲線状に折り曲げるのではなく、折返しによって非直線形状の配置とするものであるため、設備の構造も簡単となり製造が容易となる。
【００１２】
請求項２に係る本発明として、前記立体ギャザーは、偶数回の折返し部を有し、吸収性物品の前側端における平面視での傾斜角と、吸収性物品の後側端における平面視での傾斜角とが同一に設定されている請求項１記載の吸収性物品が提供される。
【００１３】
上記請求項２記載の発明によれば、(1)立体ギャザーは、偶数回の折返し部を有する条件と、(2)吸収性物品の前側端における平面視での傾斜角と、吸収性物品の後側端における平面視での傾斜角とが同一に設定する条件とを満足することにより、ライン上で直列的に並ぶ吸収性物品に連続的に立体ギャザーを構成する不織布シート等を配設できるようになるため、連続的製造が可能となる。
【００１４】
請求項３に係る本発明として、後端部側の吸収体幅が股間部の吸収体幅よりも幅広になるように拡大されている請求項１，２いずれかに記載の吸収性物品が提供される。
【００１５】
上記請求項３記載の発明では、後端部側の吸収体幅が股間部の吸収体幅よりも幅広になるように拡大されている吸収性物品を対象として本発明を適用するものである。本発明は、吸収体が等幅の吸収性物品に対する適用よりも、後端部側の吸収体幅が股間部の吸収体幅よりも幅広になるように拡大された吸収性物品に対して適用すると、その効果が顕著となる。
【００１６】
請求項４に係る本発明として、後端部側の吸収体幅が股間部の吸収体幅よりも幅広になるように拡大されているとともに、該後端部側の吸収体が股間部の吸収体と等幅の中央部吸収体と、その両側部に位置する側部吸収体とに分割されている請求項１，２いずれかに記載の吸収性物品が提供される。
【００１７】
上記請求項４記載の発明は、幅が相対的に拡大された後端部側の吸収体を、股間部の吸収体と等幅の中央部吸収体と、その両側部に位置する側部吸収体とに分割されている構造とするものである。これによって、立体ギャザーの張力によって前記側部吸収体部分が内側に引っ張られ湾曲するため、臀部の曲線に追従し易くなる。
【発明の効果】
【００１８】
以上詳説のとおり本発明によれば、好適には、後端部側の吸収体幅が股間部の吸収体幅よりも幅広になるように形成され、かつ表面がわ両側部に立体ギャザーを備えた吸収性物品において、後部側において吸収体を広く有効吸収面として活用できるようになるとともに、その製造も容易となる。
【発明を実施するための最良の形態】
【００１９】
〔第１形態例〕
図１は生理用ナプキン１の展開図であり、図２は図１のII−II線矢視図、図３は図１のIII−III線矢視図である。
【００２０】
前記生理用ナプキン１は、所謂夜用ナプキンであって、ポリエチレンシートなどからなる不透液性裏面シート２と、経血やおりものなどを速やかに透過させる透液性表面シート３と、これら両シート２，３間に介装された綿状パルプまたは合成パルプなどからなる吸収体４と、この吸収体４の形状保持および拡散性向上のために前記吸収体４を囲繞するクレープ紙５と、少なくとも体液排出部Ｈを含む前後方向の所定区間において表面側に突出して設けられた左右一対の立体ギャザーＢＳ、ＢＳとから主に構成され、かつ前記吸収体４の周囲においては、その上下端縁部では前記不透液性裏面シート２と透液性表面シート３との外縁部がホットメルトなどの接着剤やヒートシール等の接着手段によって接合され、またその両側縁部では吸収体４よりも側方に延出している前記不透液性裏面シート２と、前記立体ギャザーＢＳを形成しているサイド不織布７とがホットメルトなどの接着剤やヒートシール等の接着手段によって接合され、これら不透液性裏面シート２とサイド不織布７とによる積層シート部分によって側方に突出するウイング状フラップＷ、Ｗが形成されているとともに、これよりも臀部側に位置する部分に第２ウイング状フラップＷＢ、ＷＢが形成されている。
【００２１】
以下、さらに前記生理用ナプキン１の構造について詳述すると、
前記不透液性裏面シート２は、ポリエチレン等の少なくとも遮水性を有するシート材が用いられるが、近年はムレ防止の観点から透湿性を有するものが用いられる傾向にある。この遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートが好適に用いられる。前記不透液性裏面シート２の非使用面側（外面）には１または複数条の本体ズレ止め粘着剤層（図示せず）が形成され、身体への装着時に生理用ナプキン１を下着に固定するようになっている。前記不透液性裏面シート２としては、プラスチックフィルムと不織布とを積層させたポリラミ不織布を用いてもよい。
【００２２】
次いで、前記透液性表面シート３は、有孔または無孔の不織布や多孔性プラスチックシートなどが好適に用いられる。不織布を構成する素材繊維としては、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、スパンボンド法はドレープ性に富む点で優れ、サーマルボンド法及びエアースルー法は嵩高でソフトである点で優れている。前記透液性表面シート３に多数の透孔を形成した場合には、経血やおりもの等（以下、まとめて体液という。）が速やかに吸収されるようになり、ドライタッチ性に優れたものとなる。
【００２３】
前記吸収体４は、たとえばパルプ中に高吸水性樹脂を混入したもの、或いはパルプ中に化学繊維を混入させるとともに、高吸水性樹脂を混入したものが使用される。各吸収体４は、図示のように、形状保持、および経血等を速やかに拡散させるとともに、一旦吸収した経血等の逆戻りを防止するためにクレープ紙５によって囲繞するのが望ましい。前記パルプとしては、木材から得られる化学パルプ、溶融パルプ等のセルロース繊維や、レーヨン、アセテート等の人工セルロース繊維からなるものが挙げられ、広葉樹パルプよりは繊維長の長い針葉樹パルプの方が機能および価格の面で好適に使用される。
【００２４】
前記高吸水性樹脂としては、たとえばポリアクリル酸塩架橋物、自己架橋したポリアクリル酸塩、アクリル酸エステル−酢酸ビニル共重合体架橋物のケン化物、イソブチレン・無水マレイン酸共重合体架橋物、ポリスルホン酸塩架橋物や、ポリエチレンオキシド、ポリアクリルアミドなどの水膨潤性ポリマーを部分架橋したもの等が挙げられる。これらの内、吸水量、吸水速度に優れるアクリル酸またはアクリル酸塩系のものが好適である。前記吸水性能を有する高吸水性樹脂は製造プロセスにおいて、架橋密度および架橋密度勾配を調整することにより吸水力と吸水速度の調整が可能である。前記高吸水性樹脂の含有率は１０〜６０％とするのが望ましい。高吸水性樹脂含有率が１０％未満の場合には、十分な吸収能を与えることができず、６０％を超える場合にはパルプ繊維間の絡み合いが無くなり、シート強度が低下し破れや割れ等が発生し易くなる。
【００２５】
前記吸収体４の平面形状は、前端部側が等幅で、後端部側の吸収体幅が股間部の吸収体幅よりも幅広になるように拡大された略瓢箪形を成している。
【００２６】
一方、前記透液性表面シート３の幅寸法は、図示例では、図２および図３の横断面図に示されるように、吸収体４の幅よりも若干長めとされ、吸収体４を覆うだけに止まり、前記立体ギャザーＢＳは前記透液性表面シート３とは別のサイド不織布７、具体的には経血やおりもの等が浸透するのを防止する、あるいは肌触り感を高めるなどの目的に応じて、適宜の撥水処理または親水処理を施した不織布素材を用いて構成されている。かかるサイド不織布７としては、天然繊維、合成繊維または再生繊維などを素材として、適宜の加工法によって形成されたものを使用することができるが、好ましくはゴワ付き感を無くすとともに、ムレを防止するために、坪量を抑えて通気性を持たせた不織布を用いるのがよい。具体的には、坪量を１５〜２３g/m２として作製された不織布を用いるのが望ましく、かつ体液の透過を確実に防止するためにシリコン系、パラフィン系、アルキルクロミッククロリド系撥水剤などをコーティングした撥水処理不織布が好適に使用される。
【００２７】
前記サイド不織布７は、図２および図３に示されるように、幅方向中間部より外側部分を吸収体４の内側位置から吸収体側縁を若干越えて不透液性裏面シート２の外縁までの範囲に亘ってホットメルトなどの接着剤によって接着し、これら前記サイド不織布７と不透液性裏面シート２との積層シート部分により、ほぼ体液排出部に相当する吸収体側部位置に左右一対のウイングフラップＷ、Ｗを形成するとともに、これより臀部側位置に第２ウイング状フラップＷＢ、ＷＢを形成している。これらウイング状フラップＷ、Ｗおよび第２ウイング状フラップＷＢ、ＷＢの外面側にはそれぞれ粘着剤層１０…，１１…を備え、ショーツに対する装着時に、前記ウイング状フラップＷ、Ｗが折返し線ＲＬ近傍位置にて反対側に折り返し、ショーツのクロッチ部分に巻き付けて止着するようになっている。
【００２８】
〔立体ギャザーＢＳの第１形態例〕
前記サイド不織布７の内方側部分はほぼ二重に折り返されるとともに、この二重シート内部に、その高さ方向中間部に両端または長手方向の適宜の位置が固定された糸状弾性伸縮部材１９が配設されるとともに、前記糸状弾性伸縮部材１９の上側部位に複数本の、図示例では２本の糸状弾性伸縮部材２０，２０が両端または長手方向の適宜の位置が固定された状態で配設されている。この二重シート部分は前端部側では、断面Ｚ状に折り畳んで積層された状態で吸収体４側に接着されることによって、体液排出部Ｈ近傍領域では、前記糸状弾性伸縮部材１９配設部位を屈曲点として、断面く字状に内側に開口を向けたポケットＰ、Ｐを形成しながら表面側に起立する立体ギャザーＢＳ、ＢＳが形成されている。
【００２９】
前記立体ギャザーＢＳは、体液排出部Ｈ近傍よりも後部側位置において１又は複数回の、図１の例では１回の折返し部Ｒ１を有し、生理用ナプキン１Ａの後端側において体液排出部Ｈの立体ギャザーＢＳ、ＢＳ間の幅Ｂ１よりも立体ギャザーＢＳ、ＢＳ間の幅Ｂ２が拡大されている。同図の例では、１回だけ立体ギャザーＢＳが外側に折返され、立体ギャザーＢＳの起立点がほぼ吸収体４の側縁（内側）に沿って漸次拡がるように接着されているため、立体ギャザーＢＳ、ＢＳ間の幅Ｂ２は後端側に行くに従って漸次拡大するようになっている。
【００３０】
前記立体ギャザーＢＳの断面構造は、断面く字状に屈曲するようにＺ型断面とするのが望ましい。生理用ナプキン１Ａの前端側では、内側に開口を向けたポケットＰ、Ｐを形成しながら表面側に起立するため、十分な高さを保持し体液を堰き止めるとともに、外側に折り返された生理用ナプキン１Ａの後端側では、図３に示されるように、簡易的に二重構造の障壁が形成されるため体液の堰き止め効果が大きくなる。
【００３１】
〔立体ギャザーＢＳの第２形態例〕
次いで、図４に示される生理用ナプキン１Ｂは、第２形態例に係る立体ギャザーＢＳの構造を示したものである。
【００３２】
立体ギャザーＢＳは、体液排出部Ｈ近傍よりも後部側位置において２回の折返し部Ｒ１、Ｒ２を有し、生理用ナプキン１Ｂの後端側において体液排出部Ｈの立体ギャザーＢＳ、ＢＳ間の幅Ｂ１よりも立体ギャザーＢＳ、ＢＳ間の幅Ｂ２が拡大されている。同図４の例では、最初に立体ギャザーＢＳが外側に折返され、立体ギャザーＢＳの起立点がほぼ吸収体４の側縁（内側）に沿って漸次拡がるように接着され、次いでそれよりも後部側において、立体ギャザーＢＳを内側に折返して表面シート３に接着されている。
【００３３】
装着状態又は立体的状態では、立体ギャザーＢＳの起立する部分については、折返し部Ｒ１，Ｒ２の折目は不明瞭となるが、起立点が後端側では前端側よりも外側にシフトしていることにより、平面的に見ると緩いＳ字カーブを描くように起立することになる。
【００３４】
同図４の例では、後端部側の吸収体幅が股間部の吸収体幅よりも幅広になるように拡大されているとともに、該後端部側の吸収体が股間部の吸収体と等幅の中央部吸収体４Ａと、その両側部に位置する側部吸収体４Ｂ、４Ｃとに分割された構造となっている。立体ギャザーＢＳの張力によって前記側部吸収体部分４Ｂ、４Ｃが内側に引っ張られ湾曲するため、臀部の曲線に追従し易くなる。
【００３５】
〔立体ギャザーＢＳの第３形態例〕
更に、図５に示される生理用ナプキン１Ｃは、第３形態例に係る立体ギャザーＢＳの構造を示したものである。
【００３６】
本例では、上記第２形態例と同様に、立体ギャザーＢＳは、体液排出部Ｈ近傍よりも後部側位置において２回の折返し部Ｒ１、Ｒ２を有し、体液排出部Ｈの立体ギャザーＢＳ、ＢＳ間の幅Ｂ１よりも立体ギャザーＢＳ、ＢＳ間の幅Ｂ２が拡大されているものであるが、生理用ナプキン１Ｃの前側端における立体ギャザーＢＳの平面視での傾斜角αと、後側端における立体ギャザーＢＳの平面視での傾斜角βとが同一となるように設定されている。これにより、図６に示されるように、製造ライン上で直列的に並ぶ生理用ナプキン１Ｃに連続的に立体ギャザーを構成するサイド不織布７を配設できるようになるため、連続的製造が可能となる。
【００３７】
なお、立体ギャザーＢＳの折返し回数は、本例では２回の折返し部Ｒ１、Ｒ２を有するようにしたが、偶数回の折返しであればよい。
【００３８】
〔その他の形態例〕
(1)上記形態例では、吸収体４は、後端部側の吸収体幅が股間部の吸収体幅よりも幅広になるように拡大されている形状としたが、全長に亘って等幅の吸収体を有する吸収性物品に対して、本発明を適用することも可能である。
(2)上記形態例では、立体ギャザーＢＳの折り回数として、１回と２回の例を示したが、３回折りや４回折り等、任意回数の折り回数としてもよい。
【図面の簡単な説明】
【００３９】
【図１】本発明の第１形態例に係る生理用ナプキン１Ａの展開図である。
【図２】図１のII−II線矢視図である。
【図３】図１のIII−III線矢視図である。
【図４】本発明の第２形態例に係る生理用ナプキン１Ｂの展開図である。
【図５】本発明の第３形態例に係る生理用ナプキン１Ｃの展開図である。
【図６】生理用ナプキン１Ｃの製造要領を示すライン平面図である。
【図７】従来の吸収性物品（その１）の平面図である。
【図８】従来の吸収性物品（その２）の展開図である。
【符号の説明】
【００４０】
１Ａ〜１Ｃ…生理用ナプキン、２…不透液性裏面シート、３…透液性表面シート、４…吸収体、５…クレープ紙、７…サイド不織布、Ｒ１・Ｒ２…折返し部、ＢＳ…立体ギャザー、Ｈ…体液排出部
【図１】
2008161255.tif 000003
【図２】
2008161255.tif 000004
【図３】
2008161255.tif 000005
【図４】
2008161255.tif 000006
【図５】
2008161255.tif 000007
【図６】
2008161255.tif 000008
【図７】
2008161255.tif 000009
【図８】
2008161255.tif 000010